(57)【要約】【課題】テザリングを利用する際の利用者の操作性を向上させること。【解決手段】１つの態様において、携帯機器は、表示部と、他の機器と無線通信により直接的に接続する第１通信部と、ネットワークと通信する第２通信部と、前記他の機器と無線通信により接続する場合に、前記他の機器が自機の第２通信部を経由して利用可能な機能を表示する画面を前記表示部に表示する制御部とを有する。携帯機器が、他の機器に対して提供する通信には、公衆回線ネットワークに含まれるキャリア回線を介して行われる音声通話、及び公衆回線ネットワークに含まれる通信回線を介して行われるデータ通信が含まれる。【選択図】図３
2015088857.tif 000002
【特許請求の範囲】
【請求項１】
表示部と、
他の機器と無線通信により直接的に接続する第１通信部と、
ネットワークと通信する第２通信部と、
前記他の機器と無線通信により接続する場合に、前記他の機器が自機の第２通信部を経由して利用可能な機能を表示する画面を前記表示部に表示する制御部と
を有する携帯機器。
【請求項２】
前記近距離無線通信は、Ｂｌｕｅｔｏｏｔｈ（登録商標）である請求項１に記載の携帯機器。
【請求項３】
表示部と、他の機器と無線通信により直接的に接続する第１通信部と、ネットワークと通信する第２通信部とを備える携帯機器によって実行される制御方法であって、
前記他の機器と無線通信により接続するステップと、
前記他の機器が自機の第２通信部を経由して利用可能な機能を表示する画面を前記表示部に表示するステップと
を含む制御方法。
【請求項４】
表示部と、他の機器と無線通信により直接的に接続する第１通信部と、ネットワークと通信する第２通信部とを備える携帯機器に、
前記他の機器と無線通信により接続するステップと、
前記他の機器が自機の第２通信部を経由して利用可能な機能を表示する画面を前記表示部に表示するステップと
を実行させる制御プログラム。
【発明の詳細な説明】
【技術分野】
【０００１】
本出願は、携帯機器、制御方法及び制御プログラムに関する。
【背景技術】
【０００２】
従来、携帯電話、ＰＨＳ、スマートフォンなどの携帯端末をアクセスポイントとして利用することにより、他の携帯端末をネットワークに接続するための技術、いわゆるテザリングが利用されている（特許文献１参照）。
【先行技術文献】
【特許文献】
【０００３】
【特許文献１】特開２０１３−１２６０４６号公報
【発明の概要】
【発明が解決しようとする課題】
【０００４】
上記テザリングが実行されている場合、アクセスポイントとして利用する携帯端末において動作可能な機能が利用者に分かりにくい場合がある。このため、テザリングを利用する際の利用者の操作性を向上させる必要がある。
【課題を解決するための手段】
【０００５】
１つの態様に係る携帯機器は、表示部と、他の機器と無線通信により直接的に接続する第１通信部と、ネットワークと通信する第２通信部と、前記他の機器と無線通信により接続する場合に、前記他の機器が自機の第２通信部を経由して利用可能な機能を表示する画面を前記表示部に表示する制御部とを有する。
【０００６】
１つの態様に係る制御方法は、表示部と、他の機器と無線通信により直接的に接続する第１通信部と、ネットワークと通信する第２通信部とを備える携帯機器によって実行される制御方法であって、前記他の機器と無線通信により接続するステップと、前記他の機器が自機の第２通信部を経由して利用可能な機能を表示する画面を前記表示部に表示するステップとを含む。
【０００７】
１つの態様に係る制御プログラムは、表示部と、他の機器と無線通信により直接的に接続する第１通信部と、ネットワークと通信する第２通信部とを備える携帯機器に、前記他の機器と無線通信により接続するステップと、前記他の機器が自機の第２通信部を経由して利用可能な機能を表示する画面を前記表示部に表示するステップとを実行させる。
【図面の簡単な説明】
【０００８】
【図１】図１は、実施形態に係る携帯端末による通信の概要を示す図である。
【図２】図２は、実施形態に係る携帯端末の外観を示す正面図である。
【図３】図３は、実施形態に係る携帯端末の機能構成を示すブロック図である。
【図４】図４は、近距離無線通信による接続中に表示部に表示される専用画面の構成例を示す図である。
【図５】図５は、図４に示す専用画面の画像の変更例を示す図である。
【図６】図６は、図４に示す専用画面の画像の変更例を示す図である。
【図７】図７は、実施形態に係る携帯端末により実行される制御の例を示す図である。
【図８】図８は、携帯端末により表示される画面の他の例を示す図である。
【図９】図９は、実施形態に係る携帯端末による処理の流れを示すフローチャートである。
【発明を実施するための形態】
【０００９】
本発明を実施するための実施形態を、図面を参照しつつ詳細に説明する。以下では、本発明に係る携帯機器が、通話の可能な携帯端末である場合について説明する。
【００１０】
（実施形態）
図１は、実施形態に係る携帯端末による通信の概要を示す図である。図１に示すように、携帯端末１は、通信部２６ａ及び通信部２６ｂを有する。
【００１１】
通信部２６ａは、公衆回線ネットワーク９０を通じて通信を行うことができるように構成されている。図１に示す場面において、携帯端末１の通信部２６ａは、通信可能な状態で、公衆回線ネットワーク９０に接続されている。通信部２６ｂは、Ｂｌｕｅｔｏｏｔｈ（登録商標）等の近距離無線通信を通じて通信を行うことができるように構成されている。図１に示す場面において、携帯端末１の通信部２６ｂは、他の機器１００と相互に通信可能な状態で無線接続されている。携帯端末１は、他の機器１００と近距離無線接続される場合に限られず、近距離以外の無線により接続されてもよい。
【００１２】
携帯端末１及び他の機器１００は、例えば、同一の利用者によって所有されている。そして、携帯端末１は、近距離無線通信により接続された他の機器１００に対して、自己をアクセスポイントとする公衆回線ネットワーク９０との通信を提供する。すなわち、携帯端末１は、例えば、通信部２６ｂを介して、他の機器１００と無線通信により接続する場合に、他の機器１００に対して、自機（携帯端末１）の通信部２６ａを経由する通信を提供する。携帯端末１が、他の機器１００に対して提供する通信には、公衆回線ネットワーク９０に含まれるキャリア回線を介して行われる音声通話、及び公衆回線ネットワーク９０に含まれるプロバイダなどにより提供される通信回線を介して行われるデータ通信（以下、テザリングと表記する）が含まれる。
【００１３】
図２は、実施形態に係る携帯端末の外観を示す正面図である。図１に示す携帯端末１は、筐体１Ｃが開閉可能に構成された、いわゆる折り畳み式の携帯端末である。以下の説明においては、同様の構成要素に同一の符号を付すことがある。さらに、重複する説明は省略することがある。
【００１４】
第１筐体１ＣＡには、表示部として、図２に示すディスプレイ２Ｍが設けられる。図２に示す例では、ディスプレイ２Ｍに待受画面４０が表示されている。ディスプレイ２Ｍは、所定の画像として、携帯端末１が受信を待機している状態のときに待受画面４０を表示したり、携帯端末１の操作を補助するために用いられるメニュー画面を表示したりする。第１筐体１ＣＡには、音声通話時の受話音声が出力されるレシーバ６が設けられる。
【００１５】
第２筐体１ＣＢには、音声通話を行うための相手側の電話番号、メール作成時等に文字を入力するための操作キー３が複数設けられる。操作キー３には、音声通話を開始するための通話キー３ａ、音声通話を終了するための終話キー３ｂが含まれる。第２筐体１ＣＢには、インターネットに接続するための機能を起動するためのＷＥＢキー４ａ、メール作成機能を起動するためのメールキー４ｂ、各種機能を起動するためのメニューキー４ｃ、ディスプレイ２Ｍに表示されるメニューの選択及び決定、画面のスクロール等を容易に実行するための方向キー４ｄが設けられる。操作キー３、ＷＥＢキー４ａ、メールキー４ｂ、メニューキー４ｃ及び方向キー４ｄは、後述する携帯端末１の操作部２８（図３参照）を構成する。第２筐体１ＣＢには、音声通話時の発話音声が入力されるマイク５が設けられる。
【００１６】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯端末１が開き、第１筐体１ＣＡと第２筐体１ＣＢとが互いに接近する方向に回動すると携帯端末１が閉じる。
【００１７】
図３は、実施形態に係る携帯端末１の機能構成を示すブロック図である。図３に示すように、携帯端末１は、記憶部２２と、制御部２４と、通信部２６ａ及び２６ｂと、操作部２８と、音声処理部３０と、表示部３２と、表示制御部３４と、カメラ３６とを有する。
【００１８】
記憶部２２は、プログラム及びデータを記憶する。記憶部２２は、制御部２４の処理結果を一時的に記憶する作業領域（バッファ）としても利用される。記憶部２２は、半導体記憶媒体、及び磁気記憶媒体等の任意の非一過的（ｎｏｎ−ｔｒａｎｓｉｔｏｒｙ）な記憶媒体を含んでよい。記憶部２２は、複数の種類の記憶媒体を含んでよい。記憶部２２は、メモリカード、光ディスク、又は光磁気ディスク等の可搬の記憶媒体と、記憶媒体の読み取り装置との組み合わせを含んでよい。記憶部２２は、ＲＡＭ（Ｒａｎｄｏｍ  Ａｃｃｅｓｓ  Ｍｅｍｏｒｙ）等の一時的な記憶領域として利用される記憶デバイスを含んでよい。
【００１９】
本実施形態において、記憶部２２は、図３に示すように、制御プログラム２２ａ及び近距離無線通信制御プログラム２２ｂを有する。
【００２０】
制御プログラム２２ａは、携帯端末１を稼働させるための各種制御に関する機能を提供する。携帯端末１を稼働させるための各種制御に関する機能には、以下のものが含まれる。例えば、通信部２６ａ及び音声処理部３０等を制御することによって、通話に関する処理を実現させるための機能が含まれる。例えば、通信部２６ａ等を制御することによって、公衆回線ネットワーク９０を介したデータ通信に関する処理を実現させるための機能が含まれる。例えば、カメラ３６を制御することにより、画像の撮影に関する処理を実現させるための機能が含まれる。例えば、表示部３２（ディスプレイ２Ｍ）に画像を表示するときの輝度調整及び消灯時間に関する処理を実現させるための機能が含まれる。例えば、通信部２６ａから受信したＧＰＳ衛星からの電波信号に基づく位置測位に関する処理を実現させるための機能が含まれる。例えば、各種アプリケーションに関する処理を実現させるための機能が含まれる。制御プログラム２２ａが提供する機能は、各種アプリケーションが提供する機能が相互に組み合わされて利用されることがある。
【００２１】
本実施形態において、制御プログラム２２ａには、テザリングに関する処理を実現させるための機能を提供する。具体的には、制御プログラム２２ａは、他の機器１００と近距離無線通信により接続される場合に、他の機器１００と公衆回線ネットワーク９０との間で実行される通信において利用可能な機能を表示する画面を表示部３２に表示するための機能を提供する。たとえば、制御プログラム２２ａは、他の機器１００と近距離無線通信により接続される場合に、利用可能な機能として、公衆回線ネットワーク９０を介して特定の端末との間で実行される音声通話を実行するための機能、及び公衆回線ネットワーク９０を介して実行されるテザリングを実行するための機能を表示する画面を、表示部３２に表示する機能を提供する。たとえば、制御プログラム２２ａは、通信部２６ｂによる他の機器との近距離無線通信が接続された状態にあるか否か、あるいは近距離無線通信を介した機能が利用可能な状態にあるか否かに応じて、表示部に表示する画面の画像を変化させる機能を提供する。
【００２２】
近距離無線通信制御プログラム２２ｂは、通信部２６ｂ等を制御することによって、Ｂｌｕｅｔｏｏｔｈ（登録商標）などを用いた近距離通信に関する処理を実現させるための機能を提供する。
【００２３】
図３に示す記憶部２２に記憶されるプログラム等は、本実施形態を説明する上で必要であるものを示し、その他のプログラム、アプリケーション、データ等については記載を省略する。
【００２４】
制御部２４は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部２４は、携帯端末１の動作を統括的に制御して各種の機能を実現する。
【００２５】
具体的には、制御部２４は、記憶部２２に記憶されているデータを必要に応じて参照しつつ、記憶部２２に記憶されているプログラム（又はアプリケーション）に含まれる命令を実行する。そして、制御部２４は、データ及び命令に応じて機能部を制御し、それによって各種機能を実現する。機能部は、例えば、マイク５、レシーバ６、通信部２６、音声処理部３０、表示部３２、表示制御部３４を含むが、これらに限定されない。制御部２４は、検出部の検出結果に応じて、制御を変更することがある。検出部は、例えば、マイク５、通信部２６及び操作部２８を含むが、これらに限定されない。
【００２６】
本実施形態において、制御部２４は、上記制御プログラム２２ａを記憶部２２から読込んで実行することにより、他の機器１００と近距離無線通信により接続される場合に、他の機器１００と公衆回線ネットワーク９０との間で実行される通信において利用可能な機能を表示する画面を表示部３２に表示する。たとえば、制御部２４は、公衆回線ネットワーク９０を介して特定の端末との間で実行される音声通話を実行するための機能、及び公衆回線ネットワーク９０を介して実行されるテザリングを実行するための機能を表示する画面を、表示部３２に表示する。
【００２７】
本実施形態において、制御部２４がプログラム（又はアプリケーション）を実行する場合には、プログラムを起動する場合と、中断中のプログラムを再開する場合と、起動済のプログラムの処理を継続する場合とが含まれる。本実施形態において、制御部２４がプログラム（又は、アプリケーション）を起動する場合には、記憶部２２に記憶されているプログラムを新たに読み出してその処理を開始する場合と、既に読み出されているプログラムの処理を新たに開始する場合とが含まれる。
【００２８】
通信部２６ａは、公衆回線ネットワーク９０を介して通信を行うための２Ｇ、３Ｇ、４Ｇ等の通信方式を用いて通信を行うことができるように構成されている。公衆回線ネットワーク９０を介して通信を行うための通信規格には、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等が含まれる。通信部２６ａが通信に用いる通信方式には、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のように公衆回線ネットワーク９０を介してデータ通信を行うための通信方式を含んでよい。通信部２６ａがデータ通信を行うための通信方式を用いる場合、データ伝送の技術と、ＶｏＩＰ（Ｖｏｉｃｅ  ｏｖｅｒ  Ｉｎｔｅｒｎｅｔ  Ｐｒｏｔｏｃｏｌ）等の音声をデータとして伝送する技術とを組み合わせることによって、通話が実現される。通信部２６ａが通信を行う為にサポートする通信方式は１つである必要はなく、公衆回線ネットワーク９０を介して通信を行うための複数の通信方式をサポートしてもよい。通信部２６ａは、第２通信部の一例である。
【００２９】
通信部２６ｂは、近距離無線通信を用いて通信を行うことができるように構成されている。通信部２６ｂは、他の電子機器に無線接続するか、又は他の電子機器から無線接続される接続部でもある。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等が含まれる。通信部２６ｂが通信を行う為にサポートする通信方式は１つである必要はなく、複数の近距離無線通信方式をサポートしてもよい。たとえば、Ｂｌｕｅｔｏｏｔｈ（登録商標）の複数のプロファイルをサポートしてよい。通信部２６ｂは、第１通信部の一例である。
【００３０】
操作部２８は、上述したように、操作キー３、ＷＥＢキー４ａ、メールキー４ｂ、メニューキー４ｃ及び方向キー４ｄなどを含んで構成される。操作部２８は、ユーザの操作によりキーの入力を受け付けると、入力された操作内容に対応する信号を発生させる。発生した信号は、制御部２４に入力される。操作部２８は、操作キー３に含まれるテンキー、ＷＥＢキー４ａ、メールキー４ｂ、メニューキー４ｃ及び方向キー４ｄのいずれかに、制御部２４により実行される本実施形態に係る各種処理を割り当ててもよい。
【００３１】
音声処理部３０は、マイク５に入力される音声信号やレシーバ６から出力される音声信号の処理を実行する。音声処理部３０は、マイク５から送られる音信号を処理し、制御部２４に送る。音声処理部３０は、制御部２４から送り出される音信号を処理し、レシーバ６へ送る。
【００３２】
表示部３２は、制御部２４から表示制御部３４を介して供給されるコンテンツデータ、アプリケーション、各種機能に応じた画像をディスプレイ２Ｍに表示させる。ディスプレイ２Ｍは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）などで構成される。
【００３３】
カメラ３６は、撮影した画像を電気信号へ変換する。カメラ３６には、例えば、ディスプレイ２Ｍに面している物体を撮影するインカメラ、ディスプレイ２Ｍの反対側の面に面している物体を撮影するアウトカメラが含まれる。
【００３４】
図４は、近距離無線通信による接続中に表示部に表示される専用画面の構成例を示す図である。図４に示す専用画面は、制御部２４が、図４に示すように、専用画面４０ａには、音声通話に関連する画像Ｉ−１、テザリングに関連する画像Ｉ−２、近距離無線通信が接続中であるか否かを示す画像Ｉ−３、音声通話に関する機能が利用可能な状態にあるか否かを示す画像Ｇ１、テザリングに関する機能が利用可能な状態にあるか否かを示す画像Ｇ２が表示される。図４に示す例では、音声通話に関する機能が利用できない状態であり、テザリングに関する機能が利用できる状態を示している。この場合、音声通話に関する画像Ｉ−１及び音声通話に関する機能が利用可能な状態にあるか否かを示す画像Ｇ１がグレーアウトした状態で表示され、テザリングに関連する画像Ｉ−２及びテザリングに関する機能が利用可能な状態にあるか否かを示す画像Ｇ２が点灯した状態で表示され、テザリングに関連する画像Ｉ−２に関して、画像Ｉ−３が点灯した状態で表示される。図４に示したように、１つの回線を用いて利用することができる複数の機能の状態を画面に表示することによって、当該複数の機能の競合を利用者に示すことができる。
【００３５】
図５及び図６は、図４に示す専用画面の画像の変更例を示す図である。図５に示すパターンＰ１では、音声通話に関する機能が利用可能な状態にあるか否かを示す画像Ｇ１（ＯＦＦ）、及び音声通話に関する画像Ｉ−１がグレーアウトした状態を示している。このパターンＰ１は、近距離無線通信が未接続の状態であり、かつ音声通話に関する機能が利用できない場合の専用画面４０ａの表示パターンに対応する。続いて、図５に示すパターンＰ２では、音声通話に関する機能が利用可能な状態にあるか否かを示す画像Ｇ１（ＯＮ）、及び音声通話に関する画像Ｉ−１が点灯しているが、近距離無線通信が接続中であるか否かを示す画像Ｉ−３がグレーアウトした状態を示している。このパターンＰ２は、音声通話に関する機能が利用可能な状態ではあるが、現在、近距離無線通信の接続待機状態（接続相手の機器からの接続待ちの状態）にある場合に対応する。続いて、図５に示すパターンＰ３では、音声通話に関する機能が利用可能な状態にあるか否かを示す画像Ｇ１（ＯＮ）、音声通話に関する画像Ｉ−１、及び近距離無線通信が接続中であるか否かを示す画像Ｉ−３が点灯した状態を示している。このパターンＰ３は、近距離無線通信の接続中であり、かつ音声通話に関する機能が利用可能な状態である場合に対応する。
【００３６】
図６に示すパターンＰ１では、テザリングに関する機能が利用可能な状態にあるか否かを示す画像Ｇ２（ＯＦＦ）、及びテザリングに関する画像Ｉ−２がグレーアウトした状態を示している。このパターンＰ１は、近距離無線通信が未接続の状態であり、かつテザリングに関する機能が利用できない場合の専用画面４０ａの表示パターンに対応する。続いて、図６に示すパターンＰ２では、テザリングに関する機能が利用可能な状態にあるか否かを示す画像Ｇ２（ＯＮ）、及びテザリングに関する画像Ｉ−２が点灯しているが、近距離無線通信が接続中であるか否かを示す画像Ｉ−３がグレーアウトした状態を示している。このパターンＰ２は、テザリングに関する機能が利用可能な状態ではあるが、現在、近距離無線通信の接続待機状態（接続先の機器からの接続待ちの状態）にある場合の専用画面４０ａの表示パターンに対応する。続いて、図６に示すパターンＰ３では、テザリングに関する機能が利用可能な状態にあるか否かを示す画像Ｇ２（ＯＮ）、テザリングに関する画像Ｉ−２、及び近距離無線通信が接続中であるか否かを示す画像Ｉ−３が点灯した状態を示している。このパターンＰ３は、近距離無線通信の接続中であり、かつテザリングに関する機能が利用可能な状態である場合の専用画面４０ａの表示パターンに対応する。
【００３７】
図７は、実施形態に係る携帯端末１により実行される制御の例を示す図である。携帯端末１は、表示部３２に待受画面４０を表示している待受状態から（ステップＳ１１）、利用者の操作に応じてメニュー画面（図示せず）を表示し、メニュー画面上で選択された接続モード選択に対応する画面４０ｂを表示部３２に表示する（ステップＳ１２）。
【００３８】
続いて、携帯端末１は、画面４０ｂにおいて、「４：サービス通話／テザリング」の項目が選択されると（ステップＳ１２）、近距離無線通信の接続処理を開始する（ステップＳ１３）。
【００３９】
続いて、携帯端末１は、他の機器との近距離無線通信の接続の準備が完了した段階で、「４：サービス通話／テザリング」に関する専用画面４０ａを表示部３２（ディスプレイ２Ｍ）に表示する（ステップＳ１４）。ステップＳ１４に示す例では、例えば、携帯端末１は、音声通話及びテザリングに関する機能が利用可能な状態であるが、近距離無線通信の接続待機中の状態にあり、画像Ｉ−３のみがグレーアウトした専用画面４０ａが表示部３２に表示されている。
【００４０】
続いて、携帯端末１は、他の機器との近距離無線通信の接続が完了すると、専用画面４０ａの画像Ｉ−３を点灯させる（ステップＳ１５）。
【００４１】
上記図７に示す制御において、携帯端末１は、ＷＥＢキー４ａの操作に応じて、テザリングの利用の可否（ＯＮ／ＯＦＦ）を切り替える。携帯端末１は、ＷＥＢキー４ａの操作によるテザリングの利用の可否（ＯＮ／ＯＦＦ）に合わせて、専用画面４０ａの画像Ｇ２の表示態様を変更する。同様に、携帯端末１は、メールキー４ｂの操作に応じて、サービス通話の利用の可否（ＯＮ／ＯＦＦ）を切り替える。携帯端末１は、メールキー４ｂの操作によるサービス通話の利用の可否（ＯＮ／ＯＦＦ）に合わせて、専用画面４０ａの画像Ｇ１の表示態様を変更する。
【００４２】
上記図７に示す制御において、携帯端末１は、近距離無線通信の接続相手の機器が予め設定されている場合には、メニューキー４ｃの長押し操作により、近距離無線通信の接続処理を開始してもよい。この場合、携帯端末１は、メニューキー４ｃの長押し操作により、ステップＳ１３に示す画面４０ｃを表示部３２に直接表示する。
【００４３】
上記図７に示す制御において、携帯端末１は、例えば、操作キー３に含まれる終話キー３ｂの長押し操作に応じて、「４：サービス通話／テザリング」の機能を終了してもよい。このとき、携帯端末１は、「４：サービス通話／テザリング」の機能を利用者に確認する確認画面を表示部３２に表示してもよい。
【００４４】
上記図７に示す制御に関連する処理は、操作キー３に含まれるテンキー、ＷＥＢキー４ａ、メールキー４ｂ、メニューキー４ｃ及び方向キー４ｄのうち、どのキーに割り当てられていてもよい。キーと処理の割り当ては、適宜変更してもよい。
【００４５】
図８は、携帯端末１により表示される画面の他の例を示す図である。図８に示すように、携帯端末１は、近距離無線通信の通信規格としてＢｌｕｅｔｏｏｔｈ（登録商標）を適用する場合に、利用者の操作に応じて、Ｂｌｕｅｔｏｏｔｈ（登録商標）のプロファイルを示す本機情報表示画面４０ｄを表示部３２に表示させてもよい。
【００４６】
図９は、実施形態に係る携帯端末１による処理の流れを示すフローチャートである。図９に示す処理は、制御部２４が、記憶部２２に記憶されている制御プログラム２２ａなどを実行することにより実現される。
【００４７】
図９に示すように、制御部２４は、例えば、利用者のメニューキー４ｃに対する操作に応じて表示部３２に接続モード選択の画面４０ｂ（図７参照）上で、「サービス通話／テザリング」の項目が選択されたかを判定する（ステップＳ１０１）。
【００４８】
制御部２４は、判定の結果、「サービス通話／テザリング」の項目が選択された場合には（ステップＳ１０１，Ｙｅｓ）、近距離無線通信の接続処理を開始する（ステップＳ１０２）。
【００４９】
続いて、制御部２４は、近距離無線通信の接続処理の準備が完了した段階で、「サービス通話／テザリング」に関する専用画面４０ａを表示部３２に表示して（ステップＳ１０３）、図９に示す処理を終了する。
【００５０】
ステップＳ１０１において、制御部２４は、「サービス通話／テザリング」の項目が選択されない場合には（ステップＳ１０１，Ｎｏ）、図９に示す処理を終了する。
【００５１】
上述してきたように、携帯端末１は、他の機器１００と近距離無線通信により接続される場合に、他の機器と公衆回線ネットワーク９０との間で実行される通信において利用可能な機能を表示する画面を表示部３２に表示する。よって、携帯端末１は、テザリングが実行されている場合、アクセスポイントとして機能する携帯端末１で動作可能な機能を利用者に分かりやすく表示させることができる。このため、携帯端末１は、テザリングを利用する際の利用者の操作性を向上させることができる。
【００５２】
上記の実施形態において、添付の請求項に係る携帯端末１としては、ＰＨＳ（Ｐｅｒｓｏｎａｌ  Ｈａｎｄｙ−ｐｈｏｎｅ  Ｓｙｓｔｅｍ）、及び携帯電話など、近距離無線通信により他の機器と接続可能な装置であればよい。
【００５３】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００５４】
１      携帯端末
２２    記憶部
２４    制御部
２６ａ  通信部
２６ｂ  通信部
２８    操作部
３０    音声処理部
３２    表示部
３４    表示制御部
３６    カメラ
９０    公衆回線ネットワーク
１００  他の機器
【図１】
2015088857.tif 000003
【図２】
2015088857.tif 000004
【図３】
2015088857.tif 000005
【図６】
2015088857.tif 000006
【図７】
2015088857.tif 000007
【図８】
2015088857.tif 000008
【図９】
2015088857.tif 000009
【図４】
2015088857.tif 000010
【図５】
2015088857.tif 000011